【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
装置本体に着脱自在に設けられ、給送されるシートを収納するシート収納手段と、
前記シート収納手段に収納されたシートのシート給送方向と直交する幅方向の側端位置を規制するために、前記シート収納手段に対向して設けられた一対の側端規制手段と、
前記一対の側端規制手段よりもシート給送方向上流に設けられ、前記シート収納手段に収納された所定サイズのシートの幅方向の側端位置を規制するための上流側端規制手段と、
前記シート収納手段に前記所定サイズのシートよりも幅方向の長さが短い小サイズのシートを収納する場合に、前記上流側端規制手段に着脱可能に取り付けられて小サイズのシートの幅方向の側端位置を規制する補助側端規制手段と、を備えたことを特徴とするシート給送装置。
【請求項２】
前記補助側端規制手段は、前記上流側端規制手段に装着された状態で前記上流側端規制手段から前記シート収納手段の内側に突出して小サイズのシートの側端位置を規制する規制部を備えていることを特徴とする請求項１記載のシート給送装置。
【請求項３】
前記上流側端規制手段は、前記補助側端規制手段を上方から装着するための装着空間及び装着された前記補助側端規制手段の規制部を突出させる開口部を備えることを特徴とする請求項２記載のシート給送装置。
【請求項４】
前記シート収納手段に、前記補助側端規制手段を使用しない場合には、前記補助側端規制手段を収容する収容部を設けることを特徴とする請求項１乃至３のいずれか１項に記載のシート給送装置。
【請求項５】
装置本体に着脱自在に設けられ、給送されるシートを収納する給紙カセットと、
シート給送方向と直交する幅方向に移動可能に設けられ、前記給紙カセットに収納されたシートの側端位置を規制するために、対向して設けられた一対の側端規制手段と、
前記一対の側端規制手段よりもシート給送方向上流において、前記給紙カセットに収納された所定サイズのシートの幅方向の側端位置を規制するための上流側端規制手段と、
前記給紙カセットに前記所定サイズのシートよりも幅方向の長さが短い小サイズのシートの幅方向の側端位置を規制するために、前記上流側端規制手段に着脱可能に装着される補助側端規制手段と、を備え、
前記補助側端規制手段は、前記上流側端規制手段に設けられた上方に開口している開口に対し、シートの積載方向にスライドさせて装着可能であることを特徴とするシート給送装置。
【請求項６】
前記上流側端規制手段は、側面の規制面にスリット溝が形成された装着空間を有し、
前記補助側端規制手段は、
前記上流側端規制手段の前記開口から前記装着空間に装着可能であり、
前記装着空間に装着されたときに前記スリット溝から突出する凸部を有し、
前記凸部により前記小サイズのシートの側端位置を規制することを特徴とする請求項５記載のシート給送装置。
【請求項７】
前記給紙カセットのカセット本体に設けられ、前記補助側端規制手段を収容可能な収容部を備えることを特徴とする請求項５又は６に記載のシート給送装置。
【請求項８】
前記上流側端規制手段と前記収容部とは、前記カセット本体に隣接して設けられていることを特徴とする請求項７記載のシート給送装置。
【請求項９】
前記補助側端規制手段は、前記幅方向に対向するように一対に設けられることを特徴とする請求項１乃至８のいずれか１項に記載のシート給送装置。
【請求項１０】
装置本体に対して着脱自在に設けられ、給送されるシートを収納する給紙カセットと、
シート給送方向と直交する幅方向に移動可能に設けられ、前記給紙カセットに収納されたシートの側端部を規制可能な側端規制手段と、
前記側端規制手段よりもシート給送方向上流において、前記給紙カセットのカセット本体に着脱可能に設けられる補助部材と、を備え、
前記補助部材を装着しない前記給紙カセットに所定サイズのシートを収納して前記給紙カセットを前記装置本体に装着する装着動作を行った場合に、前記カセット本体は、前記所定サイズのシートの側端と接触することで前記所定サイズのシートの回転を抑制することが可能となっており、
前記補助部材を装着した給紙カセットに前記所定サイズよりも前記幅方向の長さが短い小サイズのシートを収納して前記給紙カセットの前記装着動作を行った場合に、前記補助部材は前記小サイズのシートの側端と接触することで前記小サイズのシートの回転を抑制することが可能となっていることを特徴とするシート給送装置。
【請求項１１】
前記所定サイズのシート及び前記小サイズのシートは、定型サイズのシートであることを特徴とする請求項１乃至１０のいずれか１項に記載のシート給送装置。
【請求項１２】
装置本体に対して着脱自在に設けられ、給送されるシートを収納する給紙カセットと、
シート給送方向と直交する幅方向に移動可能に設けられ、前記給紙カセットに収納されたシートの側端部を規制可能な側端規制手段と、
前記給紙カセットに収納されるシートの幅方向の端部と対向するように設けられる補助部材であって、前記側端規制手段よりもシート給送方向上流において前記給紙カセットのカセット本体に着脱可能に設けられる補助部材と、を備え、
前記補助部材を装着しない場合、前記補助部材を装着する位置における前記給紙カセットのシート積載領域の前記幅方向の長さは、前記給紙カセットに収納可能な最大シートサイズのシートの前記幅方向の長さよりも長く、
前記補助部材を装着した場合、前記補助部材を装着する位置における前記給紙カセットのシート積載領域の前記幅方向の長さは、前記給紙カセットに収納可能な最大シートサイズのシートの前記幅方向の長さよりも短く、前記最大シートサイズよりも前記幅方向の長さが小さいサイズのシートの前記幅方向の長さよりも長いことを特徴とするシート給送装置。
【請求項１３】
装置本体に対して着脱自在に設けられ、給送されるシートを収納する給紙カセットと、
シート給送方向と直交する幅方向に移動可能に設けられ、前記給紙カセットに収納されたシートの側端部を規制可能な側端規制手段と、
前記側端規制手段よりもシート給送方向上流において、前記給紙カセットのカセット本体に対して、前記給紙カセットに収納されるシートの幅方向の端部と対向するように着脱可能に設けられる補助部材と、を備え、
前記補助部材を装着しない場合、前記給紙カセットに収納可能な最大シートサイズのシートが収納可能であり、
前記補助部材を装着した場合、前記給紙カセットに収納可能な最大シートサイズのシートは収納できず、前記最大シートサイズよりも前記幅方向の長さが小さいサイズのシートは収納可能であることを特徴とするシート給送装置。
【請求項１４】
前記最大シートサイズのシート及び前記小さいサイズのシートは、定型サイズのシートであることを特徴とする請求項１２又は１３に記載のシート給送装置。
【請求項１５】
前記補助部材は、前記給紙カセットに設けられた上方に開口している開口に対し、シートの積載方向にスライドさせて装着可能であることを特徴とする請求項１２乃至１４のいずれか１項に記載のシート給送装置。
【請求項１６】
前記補助部材は、前記給紙カセットに対してネジ止めされていないことを特徴とする請求項１２乃至１５のいずれか１項に記載のシート給送装置。
【請求項１７】
前記給紙カセットに設けられ、前記補助部材を収容可能な収容部を備えることを特徴とする請求項１２乃至１６のいずれか１項に記載のシート給送装置。
【請求項１８】
請求項１乃至１７のいずれか１項に記載のシート給送装置と、
前記シート給送装置により給送されたシートに対して画像形成を行う画像形成手段と、を備えることを特徴とする画像形成装置。
【手続補正２】
【補正対象書類名】明細書
【補正対象項目名】発明の名称
【補正方法】変更
【補正の内容】
【発明の名称】シート給送装置及び画像形成装置
【手続補正３】
【補正対象書類名】明細書
【補正対象項目名】０００１
【補正方法】変更
【補正の内容】
【０００１】
本発明は、シート給送装置及びこれを備える画像形成装置に関し、特にシート収納部に収納されたシートのシート給送方向と直交する幅方向の側端位置を規制する構成に関する。
【手続補正４】
【補正対象書類名】明細書
【補正対象項目名】００１０
【補正方法】変更
【補正の内容】
【００１０】
本発明は、シート給送装置において、装置本体に着脱自在に設けられ、給送されるシートを収納するシート収納手段と、前記シート収納手段に収納されたシートのシート給送方向と直交する幅方向の側端位置を規制するために、前記シート収納手段に対向して設けられた一対の側端規制手段と、前記一対の側端規制手段よりもシート給送方向上流に設けられ、前記シート収納手段に収納された所定サイズのシートの幅方向の側端位置を規制するための上流側端規制手段と、前記シート収納手段に前記所定サイズのシートよりも幅方向の長さが短い小サイズのシートを収納する場合に、前記上流側端規制手段に着脱可能に取り付けられて小サイズのシートの幅方向の側端位置を規制する補助側端規制手段と、を備えたことを特徴とするものである。
【手続補正５】
【補正対象書類名】明細書
【補正対象項目名】００３４
【補正方法】変更
【補正の内容】
【００３４】
また、本実施の形態では、奥側サイド規制部材８０及び手前側サイド規制部材８１のシート給送方向の位置をＬＴＲ（２１５．９ｍｍ）、Ａ４（２１０ｍｍ）サイズのシートの側端を規制できる位置に設定している。なお、図５の（ａ）はＬＴＲサイズのシートＳ２を給紙カセット６０に収容している状態を示している。これにより、ＬＴＲサイズのシートＳ２を収納すると、シートＳ２の後端付近が奥側サイド規制部材８０の規制部８０ａ及び手前側サイド規制部材８１の規制部８１ａの規制面に突き当たり、シートＳ２の幅方向の位置が規制される。